【手続補正書】
【提出日】平成20年4月28日(2008.4.28)
【手続補正１】
【補正対象書類名】明細書
【補正対象項目名】特許請求の範囲
【補正方法】変更
【補正の内容】
【特許請求の範囲】
【請求項１】  患者の視力を改善するための眼用レンズシステムであって：
患者の一方の目に使用される第１の多焦点眼用レンズと；
前記患者の中距離視力矯正用の中距離追加パワーと前記患者の完全な近距離視力矯正用に必要とされる追加パワーよりも小さい最大追加パワーとを有する、前記患者の他方の目に使用される第２の多焦点眼用レンズと；
前記第２のレンズが前記第１のレンズと比較して中距離から近距離までより良い視力を提供することと；
前記第１及び第２の各レンズが目へ移植され、もしくは目の角膜上もしくは角膜内に配置されるよう形成されていることとからなる眼用レンズシステム。
【請求項２】  前記第２のレンズのいずれの領域の最大追加パワーも、概略前記中距離追加パワーよりも大きくはない、請求項１に記載の眼用レンズシステム。
【請求項３】  前記第１のレンズのいずれの領域の最大追加パワーも、概略前記中距離追加パワーよりも大きくはない、請求項１に記載の眼用レンズシステム。
【請求項４】  前記第１及び第２のレンズのいずれの領域の最大追加パワーも、概略前記中距離追加パワーよりも大きくはない、請求項１に記載の眼用レンズシステム。
【請求項５】  前記第１のレンズが、前記第２のレンズと比較して無限遠の目標物に対してより良い視力を提供する、請求項１に記載の眼用レンズシステム。
【請求項６】  前記第２のレンズが中距離視力に偏向され、前記第２のレンズが十分な光を中距離焦点領域に集束させ、当該第２のレンズが中距離偏向となるよう貢献している、請求項１に記載の眼用レンズシステム。
【請求項７】  前記第２のレンズが前記中距離追加パワーを備えたゾーンを有し、当該ゾーンの焦点深度を増加させる光学収差を当該ゾーンが有している、請求項１に記載の眼用レンズシステム。
【請求項８】  前記ゾーンが半径方向外側に延び、前記ゾーンが半径方向外側に延びるにしたがって段階的に増加するパワーを有している、請求項７に記載の眼用レンズシステム。
【請求項９】  前記第１及び第２のレンズの各々が光軸を有し、前記第１及び第２の各レンズのパワーが、前記各光軸から半径方向外側に向うパワーカーブに沿って変化し、前記第１のレンズに対するパワーカーブが前記第２のレンズに対するパワーカーブとは異なっている、請求項１に記載の眼用レンズシステム。
【請求項１０】  前記第２のレンズが前記第１のレンズと比較して中距離から近距離までより良い視力を提供するよう、少なくとも前記第１及び第２のパワーカーブが貢献している、請求項９に記載の眼用レンズシステム。
【請求項１１】  前記第１及び第２のレンズが眼内レンズである、請求項１に記載の眼用レンズシステム。
【請求項１２】  前記第１及び第２のレンズがコンタクトレンズである、請求項１に記載の眼用レンズシステム。
【請求項１３】  前記第１及び第２のレンズが角膜象眼である、請求項１に記載の眼用レンズシステム。
【請求項１４】  患者の視力を改善するための眼用レンズシステムであって：
患者の遠距離視力矯正用のパワーを含むパワーを備えた、患者の一方の目に使用される第１の多焦点眼用レンズと；
前記患者の中距離視力矯正用の中距離追加パワーと前記患者の完全な近距離視力矯正用に必要とされる追加パワーよりも小さい最大追加パワーとを有する、前記患者の他方の目に使用される第２の多焦点眼用レンズと；
前記第１のレンズが前記第２のレンズと比較して無限遠の目標物に対してより良い視力を提供することと；
前記第１及び第２の各レンズが目へ移植され、もしくは目の角膜上もしくは角膜内に配置されるよう構成されていることとからなる眼用レンズシステム。
【請求項１５】  前記第２のレンズのいずれの領域の最大追加パワーも、概略前記中距離追加パワーよりも大きくはない、請求項１４に記載の眼用レンズシステム。
【請求項１６】  前記第１のレンズのいずれの領域の最大追加パワーも、概略前記中距離追加パワーよりも大きくはない、請求項１４に記載の眼用レンズシステム。
【請求項１７】  前記第１及び第２のレンズのいずれの領域の最大追加パワーも、概略前記中距離追加パワーよりも大きくはない、請求項１４に記載の眼用レンズシステム。
【請求項１８】  前記第２のレンズが、患者の中距離視力矯正に偏向されている、請求項１４に記載の眼用レンズシステム。
【請求項１９】  患者の視力を改善するための眼用レンズシステムにおいて：
患者の一方の目に使用するための第１の眼内レンズであって、光軸と、前記光軸に対して半径方向に配置された第１、第２、第３の光学ゾーンとを備え、前記第２のゾーンが前記第１及び第３のゾーンの中間に位置して前記第１及び第３のゾーンのいずれよりも大きい追加パワーを有している第１の眼内レンズと；
前記患者の他方の目に使用するための第２の眼内レンズであって、光軸と、前記第２のレンズの光軸に対して半径方向に配置された第１、第２、第３の光学ゾーンとを備え、前記第２のレンズの第２のゾーンが前記第２のレンズの第１及び第３のゾーンの中間に位置して前記第２のレンズの第１及び第３のゾーンのいずれよりも大きい追加パワーを有している第２の眼内レンズと；
前記第２のレンズのいずれの領域の最大追加パワーも近距離視力に必要とされる最大限の追加パワーよりも小さいことと；
前記第１のレンズが前記第２のレンズと比較して無限遠の目標物に対してより良い視力を提供し、前記第２のレンズが前記第１のレンズと比較して中距離から近距離までのより良い視力を提供することとからなる眼用レンズシステム。
【請求項２０】  前記第１のレンズの複数の光学ゾーンがほぼ環状でほぼ同心である、請求項１９に記載の眼用レンズシステム。
【請求項２１】  前記第２のレンズの第１、第２、第３の光学ゾーンがほぼ環状でほぼ同心である、請求項１９に記載の眼用レンズシステム。
【請求項２２】  前記第２のレンズによって提供される最良の視力が中距離の目標物に対するものである、請求項１９に記載の眼用レンズシステム。
【請求項２３】  前記第２のレンズが中距離視力に偏向され、前記第２のレンズが十分な光を中距離焦点領域に集束させ、当該第２のレンズが中距離偏向となるよう貢献している、請求項１９に記載の眼用レンズシステム。
【請求項２４】  前記第２のレンズの第２のゾーンの面積が前記第１のレンズの第２のゾーンの面積よりも広い、請求項１９に記載の眼用レンズシステム。
【請求項２５】  前記第２のレンズの第２のゾーンが半径方向外側に延び、当該ゾーンが半径方向外側に延びるにしたがって段階的に増加する視力矯正パワーを有する、請求項１９に記載の眼用レンズシステム。
【請求項２６】  患者の視力を改善するための眼用レンズシステムであって：
患者の遠距離視力矯正に必要とされるパワーを含むパワーを備えた、患者の一方の目に使用される第１の多焦点眼内レンズと；
前記患者の近距離視力矯正用に必要とされる最大限の追加パワーよりも小さい最大追加パワーを有する、前記患者の他方の目に使用される第２の多焦点眼内レンズと；
前記第１の眼内レンズが前記第２の眼内レンズと比較して無限遠の目標物に対してより良い視力を有し、前記第２の眼内レンズが前記第１の眼内レンズと比較してある程度の中距離に対して少なくともより良い中距離視力を有することからなる眼用レンズシステム。
【請求項２７】  前記第１の眼内レンズの最大追加パワーが、概略中距離視力矯正に必要とされるパワーよりも大きくはない、請求項２６に記載の眼用レンズシステム。
【請求項２８】  前記第２の眼内レンズの最大パワーが、概略中距離視力矯正に必要とされるパワーよりも大きくはない、請求項２６に記載の眼用レンズシステム。
【請求項２９】  前記第１及び第２のレンズのいずれの領域の最大追加パワーも、概略中距離視力矯正に必要とされるパワーよりも大きくはない、請求項２６に記載の眼用レンズシステム。
【請求項３０】  患者の第１及び第２の目にそれぞれ使用される、各光軸を有する第１及び第２の眼内レンズと；
前記第１及び第２の眼内レンズのパワーが各関連する光軸から半径方向外側に向けたパワーカーブに沿って変化し、前記第１の眼内レンズに対するパワーカーブが前記第２の眼内レンズに対するパワーカーブとは異なっていることと；
前記第１及び第２の眼内レンズの最大パワーが、完全な近距離視力矯正に必要とされる追加パワーよりも小さいこととからなる眼用レンズシステム。
【請求項３１】  前記第１の眼内レンズのパワーが、概略前記遠距離視力矯正に必要とされるパワーから概略中距離視力矯正に必要とされるパワーである前記最大追加パワーまで変化する、請求項３０に記載の眼用レンズシステム。
【請求項３２】  前記第２の眼内レンズにより提供される最良の視力が中距離の目標物に対するものである、請求項３０に記載の眼用レンズシステム。
【請求項３３】  患者の視力を改善するための眼用レンズシステムであって：
患者の一方の目に使用する、遠距離視力に偏向した第１の多焦点眼用レンズと；
患者の他方の目に使用する、中距離視力に偏向した第２の値焦点眼用レンズと；
前記第１及び第２のレンズの各々が眼内に移植され、もしくは角膜上又は角膜内に配置されるよう形成されている眼用レンズシステム。
【請求項３４】  前記各レンズが眼内レンズである、請求項３３に記載の眼用レンズシステム。
【手続補正２】
【補正対象書類名】明細書
【補正対象項目名】００３６
【補正方法】変更
【補正の内容】
【００３６】
遠距離矯正ゾーン２７、３１、３５の環状の面積は、中距離パワーゾーン２９、３３の環状の面積よりも意図的に大きくされている。加えて、３つの遠距離パワーゾーン２７、３１、３５と、２つの中距離視力矯正ゾーン２９、３３としかないが、所望であればこれ以外のゾーンの数とすることもできる。このようにレンズ本体１５のより広い表面が、他のいずれの焦点領域よりも遠距離焦点領域へ光を集束、もしくは導くために供されている。したがって、ＩＯＬ  １１は、遠距離から中距離まで非常に良好な視力を提供し、無限遠の目標物に対してはＩＯＬ  １３よりもより良好な視力を提供する。ＩＯＬ  １１は遠距離から中距離の視力に最適化されている。
【手続補正３】
【補正対象書類名】図面
【補正対象項目名】図４
【補正方法】変更
【補正の内容】
【図４】
2003532157.tif 000001
【手続補正４】
【補正対象書類名】図面
【補正対象項目名】図８
【補正方法】変更
【補正の内容】
【図８】
2003532157.tif 000002